【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
方法であって、
コンピューティング装置が、イメージを表示するための情報を送ること、
該コンピューティング装置が、イメージの寸法に基づいて、イメージについてのスクロール範囲を判定すること、
該コンピューティング装置が、前記イメージにおいてイメージのスクローリング表示を開始する原点位置を判定することであって、前記原点位置は、前記イメージが表示されているアプリケーションのタイプに基づいて判定される、前記原点位置を判定すること、
該コンピューティング装置が、クライアントコンピューティング装置の初期チルトを判定すること、
該コンピューティング装置が、前記クライアントコンピューティング装置のチルト測定結果を受信することであって、前記チルト測定結果は、異なる時点で実施された第１のチルト測定結果及び第２のチルト測定結果を含む、前記チルト測定結果を受信すること、
該コンピューティング装置が、少なくとも前記スクロール範囲、前記原点位置、前記初期チルト、および前記チルト測定結果に基づいて、進行パラメータを判定すること、
該コンピューティング装置が、前記スクロール範囲の変化及び前記チルト測定結果に基づいて前記進行パラメータを更新すること、
該コンピューティング装置が、前記進行パラメータに基づいて、イメージのスクローリング表示をレンダリングすること、を備える、方法。
【請求項２】
スクローリングを作動させるための閾値が、前記チルト測定結果によって満たされる、請求項１に記載の方法。
【請求項３】
スクローリングを作動させるための閾値が、前記クライアントコンピューティング装置の回転速度によって満たされる、請求項１に記載の方法。
【請求項４】
ＲＫ４ソルバを前記チルト測定に適用することによって、イメージのスクローリング表示を平滑化することをさらに備える、請求項１に記載の方法。
【請求項５】
イメージのスクローリング表示をレンダリングすることは、
原点位置に関連して仮想ばね効果を前記イメージに適用することを含む、請求項１に記載の方法。
【請求項６】
スクロール範囲の端に達するときに、仮想ばね効果によって、イメージのスクローリング表示を、跳ね返るように表示する、請求項５に記載の方法。
【請求項７】
スクロール範囲の端が近づくと、仮想ばね効果によって、イメージのスクローリング表示を、減速するように表示する、請求項５に記載の方法。
【請求項８】
原点位置を再校正するための入力を受信すること、
入力に基づいて、新しい原点位置を判定することをさらに備える、請求項１に記載の方法。
【請求項９】
前記チルト測定が、単一の軸に対してジャイロスコープによってキャプチャされた動作に基づく、
該単一の軸は、イメージの表示の平面上にある、請求項１に記載の方法。
【請求項１０】
前記チルト測定が、互いに対して直交する２つの軸に対してジャイロスコープによってキャプチャされた動作に基づき、
該２つの軸の両方が、イメージの表示の平面上にある、請求項１に記載の方法。
【請求項１１】
１つまたは複数の非一時的コンピュータ可読記憶媒体であって、
実行されるときに、
コンピューティング装置が、イメージを表示するための情報を送ること、
該コンピューティング装置が、イメージの寸法に基づいて、イメージについてのスクロール範囲を判定すること、
該コンピューティング装置が、前記イメージにおいてイメージのスクローリング表示を開始する原点位置を判定することであって、前記原点位置は、前記イメージが表示されているアプリケーションのタイプに基づいて判定される、前記原点位置を判定すること、
該コンピューティング装置が、クライアントコンピューティング装置の初期チルトを判定すること、
該コンピューティング装置が、前記クライアントコンピューティング装置のチルト測定結果を受信することであって、前記チルト測定結果は、異なる時点で実施された第１のチルト測定結果及び第２のチルト測定結果を含む、前記チルト測定結果を受信すること、
該コンピューティング装置が、少なくとも前記スクロール範囲、前記原点位置、初期チルト、前記チルト測定結果に基づいて、進行パラメータを判定すること、
該コンピューティング装置が、前記スクロール範囲の変化及び前記チルト測定結果に基づいて前記進行パラメータを更新すること、
該コンピューティング装置が、進行パラメータに基づいて、イメージのスクローリング表示をレンダリングすること、を実行するように動作可能なソフトウェアを実装する、１つまたは複数の非一時的コンピュータ可読記憶媒体。
【請求項１２】
前記チルト測定が、単一の軸に対してジャイロスコープによってキャプチャされた動作に基づく、
該単一の軸は、イメージの表示の平面上にある、請求項１１に記載の１つまたは複数の非一時的コンピュータ可読記憶媒体。
【請求項１３】
前記チルト測定が、互いに対して直交する２つの軸に対してジャイロスコープによってキャプチャされた動作に基づき、
該２つの軸の両方が、イメージの表示の平面上にある、請求項１１に記載の１つまたは複数の非一時的コンピュータ可読記憶媒体。
【請求項１４】
１つまたは複数のプロセッサと、
前記１つまたは複数のプロセッサに結合され、前記１つまたは複数のプロセッサによって実行可能な命令を含むメモリとを備えるシステムであって、
前記１つまたは複数のプロセッサが、命令を実行するときに、
イメージを表示するための情報を送ること、
イメージの寸法に基づいて、イメージについてのスクロール範囲を判定すること、
前記イメージにおいてイメージのスクローリング表示を開始する原点位置を判定することであって、前記原点位置は、前記イメージが表示されているアプリケーションのタイプに基づいて判定される、前記原点位置を判定すること、
クライアントコンピューティング装置の初期チルトを判定すること、
前記クライアントコンピューティング装置のチルト測定結果を受信することであって、前記チルト測定結果は、異なる時点で実施された第１のチルト測定結果及び第２のチルト測定結果を含む、前記チルト測定結果を受信すること、
少なくとも前記スクロール範囲、前記原点位置、前記初期チルト、前記チルト測定結果に基づいて、進行パラメータを判定すること、
前記スクロール範囲の変化及び前記チルト測定結果に基づいて前記進行パラメータを更新すること、
前記進行パラメータに基づいて、イメージのスクローリング表示をレンダリングすること、を実行するように動作可能である、システム。
【請求項１５】
前記１つまたは複数のプロセッサが、前記命令を実行するときに、
ＲＫ４ソルバを前記チルト測定に適用することによって、イメージのスクローリング表示を平滑化するようにさらに動作可能である、請求項１４に記載のシステム。
【請求項１６】
前記１つまたは複数のプロセッサが、前記命令を実行するときに、
イメージのスクローリング表示をレンダリングして、前記原点位置に関連して仮想ばね効果をイメージに適用するようにさらに動作可能である、請求項１４に記載のシステム。
【請求項１７】
イメージを表示するための情報が、スクローリングがイメージ上で実施され得ることを示す視覚ヒントを含む、請求項１に記載の方法。
【請求項１８】
前記視覚ヒントが、スクローリングが可能である１つまたは複数の方向をさらに示す、請求項１７に記載の方法。
【請求項１９】
前記原点位置は、前記イメージが表示されるアプリケーションに基づいて前記イメージの端部にあると判定される、請求項１に記載の方法。
【請求項２０】
前記原点位置は、ユーザの選択に基づいて判定される、請求項１に記載の方法。